【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
非磁性基板上に、少なくとも非磁性下地層、非磁性中間層、磁性層および保護層がこの順番で積層され、前記非磁性下地層の少なくとも一層が、Ｍｏの含有量が５０〜９９ａｔ％、Ｖの含有量が１〜５０ａｔ％であるＭｏＶ系合金からなり、前記非磁性中間層は、ＣｏＣｒ系合金、ＣｏＣｒＰｔ系合金、Ｒｕ、Ｒｕ系合金、Ｒｅ、Ｒｅ系合金から選ばれるいずれか１種以上からなることを特徴とする磁気記録媒体。
【請求項２】
非磁性基板上に、少なくとも非磁性下地層、安定化層、非磁性結合層、磁性層および保護層がこの順番で積層され、前記安定化層が前記磁性層に反強磁性結合した磁気記録媒体において、前記非磁性下地層の少なくとも一層が、Ｍｏの含有量が５０〜９９ａｔ％、Ｖの含有量が１〜５０ａｔ％であるＭｏＶ系合金からなり、前記非磁性中間層は、ＣｏＣｒ系合金、ＣｏＣｒＰｔ系合金、Ｒｕ、Ｒｕ系合金、Ｒｅ、Ｒｅ系合金から選ばれるいずれか１種以上からなることを特徴とする磁気記録媒体。
【請求項３】
前記非磁性結合層は、Ｒｕ、Ｒｈ、Ｉｒ、Ｃｒ、Ｒｅ、Ｒｕ系合金、Ｒｈ系合金、Ｉｒ系合金、Ｃｒ系合金、Ｒｅ系合金から選ばれるいずれか１種からなり、かつ前記非磁性結合層の厚さが０．５〜１．５ｎｍであることを特徴とする請求項１又は２に記載の磁気記録媒体。
【請求項４】
前記安定化層は、ＣｏＣｒＺｒ系合金、ＣｏＣｒＴａ系合金、ＣｏＲｕ系合金、ＣｏＣｒＲｕ系合金、ＣｏＣｒＰｔＺｒ系合金、ＣｏＣｒＰｔＴａ系合金、ＣｏＰｔＲｕ系合金、ＣｏＣｒＰｔＲｕ系合金から選ばれるいずれか１種以上からなることを特徴とする請求項１〜３のいずれか１項に記載の磁気記録媒体。
【請求項５】
前記非磁性下地層は、Ｔｉ、Ｍｏ、Ａｌ、Ｔａ、Ｗ、Ｎｉ、Ｂ、Ｓｉ、ＭｎおよびＶから選ばれる１種以上とＣｒとからなるＣｒ合金あるいはＣｒと、ＭｏＶ系合金からなる層を含む多層構造であることを特徴とする請求項１〜４のいずれか１項に記載の磁気記録媒体。
【請求項６】
前記磁性層は、ＣｏＣｒＴａ系合金、ＣｏＣｒＰｔＴａ系合金、ＣｏＣｒＰｔＢ系合金、ＣｏＣｒＰｔＢＭ系合金（Ｍ：Ｔａ、Ｃｕ、Ａｇから選ばれる１種以上）から選ばれる１種以上からなることを特徴とする請求項１〜５のいずれか１項に記載の磁気記録媒体。
【請求項７】
前記非磁性基板は、ガラス基板、シリコン基板から選ばれるいずれか１種であることを特徴とする請求項１〜６のいずれか１項に記載の磁気記録媒体。
【請求項８】
前記非磁性基板は、Ａｌ、Ａｌ合金、ガラス、シリコンから選ばれるいずれか１種からなる基体の表面に、ＮｉＰまたはＮｉＰ合金からなる膜を形成したものであることを特徴とする請求項１〜６のいずれか１項に記載の磁気記録媒体。
【請求項９】
非磁性基板上に、少なくとも非磁性下地層、非磁性中間層、磁性層および保護層がこの順番で積層される磁気記録媒体を製造する方法であって、前記非磁性下地層の少なくとも一層が、Ｍｏの含有量が５０〜９９ａｔ％、Ｖの含有量が１〜５０ａｔ％であるＭｏＶ系合金であり、前記非磁性中間層が、ＣｏＣｒ系合金、ＣｏＣｒＰｔ系合金、Ｒｕ、Ｒｕ系合金、Ｒｅ、Ｒｅ系合金から選ばれるいずれか１種以上であることを特徴とする磁気記録媒体の製造方法。
【請求項１０】
非磁性基板上に、少なくとも非磁性下地層、安定化層、非磁性結合層、磁性層および保護層がこの順番で積層され、安定化層が磁性層に反強磁性結合した磁気記録媒体を製造する方法であって、前記非磁性下地層の少なくとも一層が、Ｍｏの含有量が５０〜９９ａｔ％、Ｖの含有量が１〜５０ａｔ％であるＭｏＶ系合金であり、前記非磁性中間層が、ＣｏＣｒ系合金、ＣｏＣｒＰｔ系合金、Ｒｕ、Ｒｕ系合金、Ｒｅ、Ｒｅ系合金から選ばれるいずれか１種以上であることを特徴とする磁気記録媒体の製造方法。
【請求項１１】
請求項１〜８のいずれか１項に記載の磁気記録媒体と、該磁気記録媒体に情報を記録再生する磁気ヘッドとを備えたことを特徴とする磁気記録再生装置。
【手続補正２】
【補正対象書類名】明細書
【補正対象項目名】００１１
【補正方法】変更
【補正の内容】
【００１１】
本発明者等は上記問題を解決するために、鋭意努力検討した結果、非磁性下地層として、ＭｏＶ系合金を用いることにより磁気記録再生装置の特性を向上できることを見出し、本発明を完成した。即ち本発明は以下に関する。
（１）  非磁性基板上に、少なくとも非磁性下地層、非磁性中間層、磁性層および保護層がこの順番で積層され、前記非磁性下地層の少なくとも一層が、Ｍｏの含有量が５０〜９９ａｔ％、Ｖの含有量が１〜５０ａｔ％であるＭｏＶ系合金からなり、前記非磁性中間層は、ＣｏＣｒ系合金、ＣｏＣｒＰｔ系合金、Ｒｕ、Ｒｕ系合金、Ｒｅ、Ｒｅ系合金から選ばれるいずれか１種以上からなることを特徴とする磁気記録媒体。
（２）  非磁性基板上に、少なくとも非磁性下地層、安定化層、非磁性結合層、磁性層および保護層がこの順番で積層され、前記安定化層が前記磁性層に反強磁性結合した磁気記録媒体において、前記非磁性下地層の少なくとも一層が、Ｍｏの含有量が５０〜９９ａｔ％、Ｖの含有量が１〜５０ａｔ％であるＭｏＶ系合金からなり、前記非磁性中間層は、ＣｏＣｒ系合金、ＣｏＣｒＰｔ系合金、Ｒｕ、Ｒｕ系合金、Ｒｅ、Ｒｅ系合金から選ばれるいずれか１種以上からなることを特徴とする磁気記録媒体。
（３）  前記非磁性結合層は、Ｒｕ、Ｒｈ、Ｉｒ、Ｃｒ、Ｒｅ、Ｒｕ系合金、Ｒｈ系合金、Ｉｒ系合金、Ｃｒ系合金、Ｒｅ系合金から選ばれるいずれか１種からなり、かつ前記非磁性結合層の厚さが０．５〜１．５ｎｍであることを特徴とする（１）又は（２）に記載の磁気記録媒体。
（４）  前記安定化層は、ＣｏＣｒＺｒ系合金、ＣｏＣｒＴａ系合金、ＣｏＲｕ系合金、ＣｏＣｒＲｕ系合金、ＣｏＣｒＰｔＺｒ系合金、ＣｏＣｒＰｔＴａ系合金、ＣｏＰｔＲｕ系合金、ＣｏＣｒＰｔＲｕ系合金から選ばれるいずれか１種以上からなることを特徴とする（１）〜（３）のいずれか１項に記載の磁気記録媒体。
（５）  前記非磁性下地層は、Ｔｉ、Ｍｏ、Ａｌ、Ｔａ、Ｗ、Ｎｉ、Ｂ、Ｓｉ、ＭｎおよびＶから選ばれる１種以上とＣｒとからなるＣｒ合金あるいはＣｒと、ＭｏＶ系合金からなる層を含む多層構造であることを特徴とする（１）〜（４）のいずれか１項に記載の磁気記録媒体。
（６）  前記磁性層は、ＣｏＣｒＴａ系合金、ＣｏＣｒＰｔＴａ系合金、ＣｏＣｒＰｔＢ系合金、ＣｏＣｒＰｔＢＭ系合金（Ｍ：Ｔａ、Ｃｕ、Ａｇから選ばれる１種以上）から選ばれる１種以上からなることを特徴とする（１）〜（５）のいずれか１項に記載の磁気記録媒体。
（７）  前記非磁性基板は、ガラス基板、シリコン基板から選ばれるいずれか１種であることを特徴とする（１）〜（６）のいずれか１項に記載の磁気記録媒体。
（８）  前記非磁性基板は、Ａｌ、Ａｌ合金、ガラス、シリコンから選ばれるいずれか１種からなる基体の表面に、ＮｉＰまたはＮｉＰ合金からなる膜を形成したものであることを特徴とする（１）〜（６）のいずれか１項に記載の磁気記録媒体。
【手続補正３】
【補正対象書類名】明細書
【補正対象項目名】００１２
【補正方法】変更
【補正の内容】
【００１２】
（９）  非磁性基板上に、少なくとも非磁性下地層、非磁性中間層、磁性層および保護層がこの順番で積層される磁気記録媒体を製造する方法であって、前記非磁性下地層の少なくとも一層が、Ｍｏの含有量が５０〜９９ａｔ％、Ｖの含有量が１〜５０ａｔ％であるＭｏＶ系合金であり、前記非磁性中間層が、ＣｏＣｒ系合金、ＣｏＣｒＰｔ系合金、Ｒｕ、Ｒｕ系合金、Ｒｅ、Ｒｅ系合金から選ばれるいずれか１種以上であることを特徴とする磁気記録媒体の製造方法。
（１０）  非磁性基板上に、少なくとも非磁性下地層、安定化層、非磁性結合層、磁性層および保護層がこの順番で積層され、安定化層が磁性層に反強磁性結合した磁気記録媒体を製造する方法であって、前記非磁性下地層の少なくとも一層が、Ｍｏの含有量が５０〜９９ａｔ％、Ｖの含有量が１〜５０ａｔ％であるＭｏＶ系合金であり、前記非磁性中間層が、ＣｏＣｒ系合金、ＣｏＣｒＰｔ系合金、Ｒｕ、Ｒｕ系合金、Ｒｅ、Ｒｅ系合金から選ばれるいずれか１種以上であることを特徴とする磁気記録媒体の製造方法。
（１１）  （１）〜（８）のいずれか１つに記載の磁気記録媒体と、該磁気記録媒体に情報を記録再生する磁気ヘッドとを備えたことを特徴とする磁気記録再生装置。
【手続補正４】
【補正対象書類名】明細書
【補正対象項目名】００１３
【補正方法】変更
【補正の内容】
【００１３】
本発明の磁気記録媒体は、非磁性基板上に、少なくとも非磁性下地層、非磁性中間層（非磁性中間層の代わり安定化層、非磁性結合層を用いることもできる。）、磁性層および保護層がこの順番で積層され、非磁性下地層の少なくとも一層が、Ｍｏの含有量が５０〜９９ａｔ％、Ｖの含有量が１〜５０ａｔ％であるＭｏＶ系合金からなり、前記非磁性中間層は、ＣｏＣｒ系合金、ＣｏＣｒＰｔ系合金、Ｒｕ、Ｒｕ系合金、Ｒｅ、Ｒｅ系合金から選ばれるいずれか１種以上からなることを特徴とする磁気記録媒体であるので、ノイズの低減を実現することができる。その結果、高記録密度に適した磁気記録媒を得ることができる。